(57)【要約】      （修正有）【課題】耐久性を有する石材で製作し全体がシンプルな形状、構造でかつ耐震性や耐久性を有する納骨位牌及び該納骨用位牌を収容した供養納骨堂を提供する。【解決手段】納骨用位牌１３の内部は遺骨や遺品を収納する収納ケース１４を収納するためのケース収納孔１５を形成し、底面１３Ｃから盲孔を形成してなる。収納ケース１４はガラス材やプラスチック材等で円筒体、矩形立方体で作成され、ケース収納孔１５の開口孔１６は段差１６ａを形成しケース収納孔１５に連なっており、該ケース収納孔１５の径長より径大となり拡開している。開口孔１６の内壁周囲に雌ねじを刻設してある。そして、遺骨等を収納ケース１４に収納・封入した後に該収納ケース１４をケース収納孔１５内に装填する。そして金属蓋の周縁に前記雌ねじに係合する雄ねじを形成してあり、金属蓋１７を雌ねじにねじ込み開口孔１６を閉止する。【選択図】図１
0003173969.tif 000002
【実用新案登録請求の範囲】
【請求項１】
石材で製作されかつ断面形状が真円形状又は多角形状でなる立体形状を有すると共に遺骨・遺品を封入する収納ケースを収納するケース収納孔を形成した位牌であって、該ケース収納孔に連なりかつ該ケース収納孔より径大の開口孔を前記位牌の底面に形成し、該開口孔を閉止・開放する着脱自在の金属蓋を備えたことを特徴とする納骨用位牌。
【請求項２】
前記請求項１に記載の納骨用位牌を建物の全側面又はその一部に形成した複数階段状の雛壇に列設したことを特徴とする納骨用位牌を収容した供養納骨堂。
【考案の詳細な説明】
【技術分野】
【０００１】
本考案は、耐久性を有する石材で製作し全体がシンプルな形状、構造を有する納骨位牌を考案すると供に耐震性や耐久性の高い納骨用位牌及び納骨用位牌を収容した供養納骨堂に関する。
【背景技術】
【０００２】
従来技術に於けるこの種位牌は例えば、実用新案登録第３００５４２８号に係る登録実用新案公報に開示された技術がある。これについて図８に基づいて説明すれば、多面体からなる位牌１で各面に札板２を収納表示し．位牌１の内部空間３を個々に仕切り、遺品、遺骨等の収納室４とし、位牌台座部を多面体の墓誌台５とし各面を墓誌板６にし、墓誌台６の内部空間７を各面墓誌板専用の遺品、遺骨等の収納室８に仕切り、故人の札板２を表示し、遺品、遺骨等を収納する。そして、例えば５角、６角、７角、８角形の多面体位牌１で、各面に札板収納枠９を設け、札板収納開口部１０より札板２を収納することにより、一つの位牌で複数の故人の札板を表示できる。また、例えば５角．６角．７角．８角形の多面体位牌１で、位牌の内部空間３を各面の札板収納枠９に応じた数に仕切り各故人の札板２専用の遺品．遺骨等の収納室４を設ける。また、例えば５角、６角、７角、８角形の多面体位牌１で、多面体位牌１の内部空間３の各遺品、遺骨等の収納室開口部１１は、札板２を収納することにより札板２自体を蓋とする。また、例えば５角．６角．７角．８角形の多面体位牌１で、位牌台座部を例えば５角、６角、７角、８角形の多面体墓誌台５とし、各面を引き戸にし、引き戸自体を墓誌板６とする。また、例えば５角、６角、７角、８角形の多面体位牌１で、墓誌台内部空間７を墓誌板６に応じた数に仕切り、各墓誌板６専用の遺品、遺骨等の収納室８を設ける。さらに、例えば５角、６角、７角、８角形の多面体位牌１で、墓誌台内部空間７の各遺品、遺骨等の収納室開口部１２は、墓誌板６を収納することにより墓誌板６自体を蓋とする。
【先行技術文献】
【特許文献】
【０００３】
【特許文献１】実用新案登録第３００５４２８号登録実用新案公報
【考案の開示】
【考案が解決しようとする課題】
【０００４】
従来の技術は叙上の構成であるので次の課題が存在した。
即ち、当該墓誌付き多面体位牌は多面体位牌１とこれの下部に設置された墓誌台５の２部材で構成され、この２部材にそれぞれ故人の遺骨等を収納するものであった。従って、この２部材すなわち多面体位牌１及び墓誌台５にそれぞれ遺骨等を収納するために開口部１１、１２を設置する必要があり納骨位牌の全体の構造が複雑なうえに大型化され製作性が悪く、また地震等の原因で落下した際、容易に破損する惧れがあり、耐久性に適さないという問題点があった。
【課題を解決するための手段】
【０００５】
本考案は係る問題点を解消すべく案出したもので、例えば耐久性を有する石材で製作し全体がシンプルな形状、構造を有する位牌を考案すると供に耐震性や耐久性の高い納骨用位牌及び納骨用位牌を収容した供養納骨堂を提供することを目的としたものであって、次の構成、手段から成立する。
すなわち請求項１記載の考案によれば、石材で製作されかつ断面形状が真円形状又は多角形状でなる立体形状を有すると共に遺骨・遺品を封入する収納ケースを収納するケース収納孔を形成した位牌であって、該ケース収納孔に連なりかつ該ケース収納孔より径大の開口孔を前記位牌の底面に形成し、該開口孔を閉止・開放する着脱自在の金属蓋を備えたことを特徴とする。
【０００６】
請求項２記載の考案によれば、前記請求項１に記載の納骨用位牌を収容した供養納骨堂であって、前記納骨用位牌を建物の全側面又はその一部に形成した複数階段状の雛壇に列設したことを特徴とする。
【考案の効果】
【０００７】
本考案に係る納骨用位牌及び納骨用位牌を収容した供養納骨堂は、叙上の構成を有するので次の効果がある。
すなわち、請求項１に記載の考案によれば、石材で製作されかつ断面形状が真円形状又は多角形状でなる立体形状を有すると共に遺骨・遺品を封入する収納ケースを収納するケース収納孔を形成した位牌であって、該ケース収納孔に連なりかつ該ケース収納孔より径大の開口孔を前記位牌の底面に形成し、該開口孔を閉止・開放する着脱自在の金属蓋を備えたことを特徴とする納骨用位牌を提供する。
このような構成としたので、納骨位牌の構造が簡単であって小型・コンパクトに製作でき、量産性が極めて高く地震等の原因で落下した際、該納骨位牌が破損することがなく、耐久性の高い納骨位牌を実現できるという効果がある。
【０００８】
請求項２に記載の考案によれば、前記請求項１に記載の納骨用位牌を建物の全側面又はその一部に形成した複数階段状の雛壇に列設したことを特徴とする納骨用位牌を収容した供養納骨堂を提供する。
このような構成としたので、請求項１に記載の効果に加えて簡便であって小規模の供養納骨堂を製作でき、これに納骨位牌を雛壇形式に陳列し多数人の参拝者を受け入れることが可能であるという効果がある。
【図面の簡単な説明】
【０００９】
【図１】本考案に於ける納骨用位牌の実施の形態を示す図面であって、（ａ）は正面図、（ｂ）は（ａ）の矢視Ａ−Ａ線方向を断面した垂直断面図である。
【図２】本考案に於ける納骨用位牌の実施の形態を示す図面であって、（ａ）は左側面図、（ｂ）は（ａ）の底面図である。
【図３】本考案に於ける納骨用位牌の構成を示す斜視図である。
【図４】本考案に於ける納骨用位牌を収容した供養納骨堂の実施例を示す図面であって、正面図である。
【図５】図４に於ける本考案に於ける納骨用位牌を収容した供養納骨堂のＰ部分の拡大部分断面図である。
【図６】本考案に於ける納骨用位牌を収容した供養納骨堂の内部の構造の一例を示す平面図である。
【図７】本考案に於ける納骨用位牌を収容した供養納骨堂の内部の構造の他の例を示す平面図である。
【図８】従来の技術に於ける納骨位牌の斜視図である。
【考案を実施するための形態】
【００１０】
以下、本考案に係る納骨用位牌に於ける実施の形態について図１ないし図３に基づいて詳細に説明する。
【００１１】
１３は本考案に係る納骨用位牌であって、例えば、図１（ａ）（ｂ）に示すように正面から見て底面を広い面積、つまり裾広がりの形状を有した略縦長の直方体形であって、その材料は御影石等の石材で製作される。該納骨用位牌１３の正面は図１（ａ）に示すようにその中央に故人の氏名１３ａ、左側に法名１３ｂ、右側に没年度記入文字１３ｃをそれぞれ例えば文字堀り手法を用いて銘記する。この氏名１３ａ、法名１３ｂ及び没年度記入文字１３ｃは文字堀りに形成すると共に堀り部分を金色に着色し明瞭にすることもできる。納骨用位牌１３の正面の上部には故人の顔写真１３ｄを埋込み形成し又は納骨用位牌１３の表面１３Ａから剥離しないように強化接着剤等で貼付ける。
尚、納骨用位牌１３は図１（ａ）に示すようにその表面１３Ａが上方部を後方にやや傾斜させ、その背面１３Ｂを垂直に立ち上げた形状を例示する。
【００１２】
納骨用位牌１３の内部は例えば図１（ｂ）に示すように納骨するため故人の遺骨や遺品を収納する収納ケース１４を収納するためのケース収納孔１５を形成している。該ケース収納孔１５は底面１３Cから円形又は多角形状の断面を有する盲孔を形成してなる。収納ケース１４はガラス材やプラスチック材等で円筒体、矩形立方体で作成され、前記ケース収納孔１５の形状に合致させている。そして、ケース収納孔１５の開口孔１６は段差１６ａを形成しケース収納孔１５に連なっており、例えば該ケース収納孔１５の径長より径大となり拡開している。開口孔１６の内壁周囲には図３で示すように例えば雌ねじ１６ｂを刻設してある。そして、遺骨等を収納ケース１４に収納・封入した後に該収納ケース１４をケース収納孔１５内に装填する。そして金属蓋１７の周縁に前記雌ねじ１６ｂに係合する雄ねじ１７ａを形成してあり金属蓋１７を雌ねじ１６ｂにねじ込み開口孔１６を閉止する。金属蓋１７には回転操作溝１７ｂを形成し、この金属蓋１７に解錠・施錠用の突起部品やコイン等を嵌合して開口孔１６の開放・閉止操作を行なう。また、開口孔１６を閉止した後、さらに図２の一点鎖線で示す閉鎖部品１８、例えば固定用粘着シート又は磁石円板等で開口孔１６を閉鎖してもよい。
【実施例】
【００１３】
以下、本考案の実施例として本考案に係る納骨用位牌を収容した供養納骨堂について図４
ないし図７に基づき詳細に説明する。
図４は本考案に係る納骨用位牌を設置する供養納骨堂を示すものである。これについて説明すれば、図４は供養納骨堂Ｃであり、その立面図であってその側面を示すものである。建物としての該供養納骨堂Ｃの側面の構造は図５に示すように複数階段状の雛壇１９を設ける。該雛壇１９は例えば図示のように７段で構成した雛壇１９であって、供養納骨堂Ｃの垂直壁面２０の外面２０ａに設置する。この雛壇１９は複数階段状背面部１９ａと前方に突出してかつ複数個の納骨用位牌１３を列設する底部１９ｂとを備える。納骨用位牌１３の前方には開放・閉止可能なガラス戸２１を配置し供養納骨堂Ｃの参拝者が供養納骨堂Ｃの入室することなく外部から合祀することができる。
【００１４】
そして当該納骨用位牌１３は例えば大概して外部の形状が略四角形状体で構成されてなり、図６、図７に示すように供養納骨堂Ｃの側面部全域や前方部位等に設置可能となる。例えば図６は供養納骨堂Ｃの前面部つまり全側面の一部にガラス戸２１Ａを配置し又図７は供養納骨堂Ｃの全周囲部つまり全側面にガラス戸２１Ｂに配置した例である。
図中、図６に於いて２２は供養納骨堂Ｃの出入口、２３は室内中央に設ける合祀墓蓋、２４は納骨壷、２５は供養納骨堂Ｃの塀、２７は地下の合祀墓である。そして該納骨壷２４
は移動式ロッカーに載置され参拝者が参拝する際、該当する納骨壷２４を容易に探すことが可能になるように構成してある。
尚、必要に応じて図４に示すように供養納骨堂Ｃの側面の一部に御神体２６を設けてもよい。また当該供養納骨堂Ｃは大概して外部の形状が略六角形状体等多角形状体の構成や円形状体の構造に設計した場合にも本考案の技術的範囲に包摂するものである。
【産業上の利用可能性】
【００１５】
本考案は、耐久性を有する石材で製作し全体がシンプルな形状、構造を有する納骨位牌を考案すると供に耐震性や耐久性の高い納骨用位牌及び納骨用位牌を収容した供養納骨堂に適用でき、自宅の仏壇や墓地、庭園、霊園等にも設置可能であり、その利用範囲は広いものである。
【符号の説明】
【００１６】
１３      納骨用位牌
１３ａ    氏名
１３ｂ    法名
１３ｃ    没年度記入文字
１３ｄ    顔写真
１３Ａ    納骨用位牌の表面
１３Ｂ    納骨用位牌の背面
１３Ｃ    納骨用位牌の底面
１４      収納ケース
１５      ケース収納孔
１６      開口孔
１６ａ    段差
１６ｂ    雌ねじ
１７      金属蓋
１７ａ    雄ねじ
１７ｂ    回転操作溝
１８      閉鎖部品
１９      雛壇
１９ａ    複数階段状背面部
１９ｂ    底部
２０      供養納骨堂Ｃの垂直壁面
２０ａ    供養納骨堂Ｃの垂直壁面の外面
２１      ガラス戸
２１Ａ    ガラス戸
２１Ｂ    ガラス戸
２２      供養納骨堂Ｃの出入口
２３      合祀墓蓋
２４      納骨壷
２５      塀
２６      御神体
２７      地下の合祀墓  
Ｃ        供養納骨堂
【図１】
0003173969.tif 000003
【図２】
0003173969.tif 000004
【図３】
0003173969.tif 000005
【図４】
0003173969.tif 000006
【図５】
0003173969.tif 000007
【図６】
0003173969.tif 000008
【図７】
0003173969.tif 000009
【図８】
0003173969.tif 000010